(57)【要約】      （修正有）【課題】導電体とフラットコンタクトレセプタクルとに電気的に接続するための接続部をもつフラットコンタクトソケットを提供する。【解決手段】フラットコンタクトソケット（１）は、フラットコンタクトレセプタクル（９）内にフラットコンタクトを挿入方向（１７）に沿って挿入開口（１３）を通じて挿入することができる。フラットコンタクトソケットは少なくとも１つの阻止要素（１５）を有し、てフラットコンタクトレセプタクル（９）の境界を定める。【選択図】図１
2018073826.tif 000002
【特許請求の範囲】
【請求項１】
導電体とフラットコンタクトレセプタクル（９）とに電気的に接続するための接続部（３）をもつフラットコンタクトソケット（１）であって、
前記フラットコンタクトレセプタクル（９）はフラットコンタクト面（１１）に沿ってソケット本体（７）内に延び、
前記フラットコンタクトレセプタクル（９）は前記接続部（３）から離間し、前記フラットコンタクトレセプタクル（９）内にフラットコンタクト（６３）を挿入方向（１７）に沿って挿入開口（１３）を通じて挿入することができ、
前記フラットコンタクトソケット（１）は、少なくとも１つの阻止要素（１５）を有し、
前記少なくとも１つの阻止要素（１５）は、前記挿入方向（１７）において前記挿入開口（１３）の反対側にあり、
前記少なくとも１つの阻止要素（１５）は、少なくとも前記挿入方向（１７）において前記フラットコンタクトレセプタクル（９）の境界を定め、
前記少なくとも１つの阻止要素（１５）は、前記挿入方向（１７）に延びる少なくとも１つのカンチレバー（３１）から前記挿入方向（１７）を横断して突出していることを特徴とする、
フラットコンタクトソケット（１）。
【請求項２】
前記少なくとも１つの阻止要素（１５）は、前記フラットコンタクトソケット（１）の残りの部分と一体に形成されていることを特徴とする、
請求項１に記載のフラットコンタクトソケット（１）。
【請求項３】
前記少なくとも１つの阻止要素（１５）は少なくとも１つのブレース（３３）を有し、
前記少なくとも１つのブレース（３３）を介して前記少なくとも１つの阻止要素（１５）は前記カンチレバー（３１）に接続されていることを特徴とする、
請求項１または２に記載のフラットコンタクトソケット（１）。
【請求項４】
前記少なくとも１つの阻止要素（１５）は、前記フラットコンタクト面（１１）を横断して測定された前記フラットコンタクトレセプタクル（９）の高さ（３５）の少なくとも半分まで延びていることを特徴とする、
請求項１から３のいずれか一項に記載のフラットコンタクトソケット（１）。
【請求項５】
前記ソケット本体（７）は、前記フラットコンタクト面（１１）を横断して互いに反対側にある少なくとも２つの脚部（２１）を有し、
前記少なくとも２つの脚部（２１）によって、前記フラットコンタクトレセプタクル（９）は、前記フラットコンタクト面（１１）を横断して境界が定められていることを特徴とする、
請求項１から４のいずれか一項に記載のフラットコンタクトソケット（１）。
【請求項６】
前記少なくとも２つの脚部（２１）は、前記挿入方向（１７）において前記挿入開口（１３）の反対側にある少なくとも１つのウエブ（２５）を介して接続されていることを特徴とする、
請求項５に記載のフラットコンタクトソケット（１）。
【請求項７】
前記脚部（２１）のうちの少なくとも１つは、前記フラットコンタクト（６３）に電気的に接触するために前記脚部（３７）の内面に少なくとも１つのコンタクト部（５５）を有していることを特徴とする、
請求項５または６に記載のフラットコンタクトソケット（１）。
【請求項８】
前記少なくとも１つのコンタクト部（５５）は少なくとも１つのコンタクトばね（５７）を備えており、
前記少なくとも１つのコンタクトばね（５７）は、前記フラットコンタクトレセプタクル（９）内に突出し、前記脚部（２１）の方に弾性的に撓み可能であることを特徴とする、
請求項７に記載のフラットコンタクトソケット（１）。
【請求項９】
前記フラットコンタクトソケット（１）は、前記挿入方向（１７）を横断して延びる基部（２７）を有し、
前記基部（２７）は前記挿入方向（１７）において前記挿入開口（１３）の反対側にあり、前記基部（２７）によって前記ソケット本体（７）は前記接続部（３）に接続されていることを特徴とする、
請求項５から８のいずれか一項に記載のフラットコンタクトソケット（１）。
【請求項１０】
前記接続部（３）は、圧着によって導電体に接続するための少なくとも２つの圧着ウィング（５）を有していることを特徴とする、
請求項１から９のいずれか一項に記載のフラットコンタクトソケット（１）。
【請求項１１】
前記フラットコンタクトソケット（１）は、ハウジング（７３）とのポジティブ係合を作り出すために、前記挿入方向（１７）と実質的に平行に前記フラットコンタクトソケット（１）内に延びる少なくとも１つのポジティブ係合凹部（４９）を有していることを特徴とする、
請求項１から１０のいずれか一項に記載のフラットコンタクトソケット（１）。
【請求項１２】
前記フラットコンタクトソケット（１）をハウジング（７３）に固定するために、前記挿入方向（１７）と平行に延びる少なくとも１つの停止面（５３）が、前記少なくとも１つのポジティブ係合凹部（４９）によって前記ソケット本体（７）に形成されていることを特徴とする、
請求項１１に記載のフラットコンタクトソケット（１）。
【請求項１３】
前記フラットコンタクトソケット（１）は打抜き曲げ部品として製造されていることを特徴とする、
請求項１から１２のいずれか一項に記載のフラットコンタクトソケット（１）。
【請求項１４】
前記基部（２７）は、前記挿入方向（１７）を横断する、または前記挿入方向（１７）に対して長手方向に延びる主曲げ縁（２９）によって形成されていることを特徴とする、
請求項１３に記載のフラットコンタクトソケット（１）。
【請求項１５】
前記少なくとも１つの阻止要素（１５）は、前記主曲げ縁（２９）の材料（２８）から少なくとも部分的に打ち抜かれ、前記挿入方向（１７）において前記主曲げ縁（２９）の下流にあることを特徴とする、
請求項１４に記載のフラットコンタクトソケット（１）。
【発明の詳細な説明】
【技術分野】
【０００１】
本発明は、導電体、特にケーブルと、フラットコンタクトレセプタクルとに電気的に接続するための接続部をもつフラットコンタクトソケットに関する。フラットコンタクトレセプタクルは、フラットコンタクト面に沿ってソケット本体内に延びる。フラットコンタクトレセプタクルは、接続部から離間し、フラットコンタクトレセプタクル内にフラットコンタクトを挿入方向に沿って挿入開口を通じて挿入することができる。フラットコンタクトソケットは、少なくとも１つの阻止要素（blocking element）を有し、少なくとも１つの阻止要素は挿入方向において挿入開口の反対側にあり、少なくとも１つの阻止要素は少なくとも挿入方向においてフラットコンタクトレセプタクルの境界を定める。
【背景技術】
【０００２】
導電体とフラットコンタクトとの間の電気接続を確立することができるフラットコンタクトソケットが知られている。ケージ形状またはボックス形状構造がしばしば利用され、その中にフラットコンタクトを滑り込ませることができる。特に、２つのフラットコンタクトを滑り込ませて、それらの間の電気接続を確立することができるそのような構造が知られている。そのような構造は、接続ブラケットとしても知られている。しかしながら、そのような構造の欠点は、通常、生産には複雑であり、取り扱いにくく、または導電体とフラットコンタクトとの間で不十分な機械接続および／または電気接続しか確立することができないことである。さらに、知られているフラットコンタクトソケットはしばしば不十分な大きさのフラットコンタクトレセプタクルしか有しておらず、それは、追加の要素、例えば、タッチプロテクタを有するフラットコンタクトを受容するのを一層困難にまたは不可能にする。
【発明の概要】
【発明が解決しようとする課題】
【０００３】
それゆえに、本発明の課題は、前述の欠点の少なくとも１つを克服している前述のタイプのフラットコンタクトソケットを提供することである。
【課題を解決するための手段】
【０００４】
この問題は、本発明によるフラットコンタクトソケットでは、少なくとも１つの阻止要素が、挿入方向に延びる少なくとも１つのカンチレバーから挿入方向を横断して突出するという点で解決される。
【０００５】
本発明による解決策によって、阻止要素を簡単に生産することができる。阻止要素が、挿入方向に延びるカンチレバーから突出することの結果として、挿入方向のフラットコンタクトレセプタクルの奥行きは、挿入方向のカンチレバーの長さによって簡単に適合させることができる。これにより、追加の素子、例えばタッチプロテクタをもつフラットコンタクトを受容するのに好適なフラットコンタクトレセプタクルの形成が可能になる。阻止要素は、特に、独立しているように形成されてもよい。同様に、カンチレバーは独立していてもよく、その結果、少なくとも１つの阻止要素はカンチレバーの自由端として見ることができる。
特に、少なくとも１つの阻止要素は、フラットコンタクト面を横断して突出する。本発明による解決策は、角をなす接続（９０°接続）または直線接続（１８０°接続）の両方に対して使用することができる。９０°接続の場合には、接続部は、接続状態において、導電体が少なくとも接続部の領域において挿入方向を横断して延びることができる。１８０°接続の場合には、接続部は、導電体が少なくとも接続部の領域において挿入方向と平行に延びるように延びることができる。
【０００６】
本発明による解決策は様々な構成によって改善することができ、様々な構成は、各々それ自体有利であり、望むように互いに組み合わせることができる。これらの構成とそれに関連した利点とを以下で考察する。
【０００７】
特に深いフラットコンタクトレセプタクルを得るために、少なくとも１つの阻止要素は、挿入方向にソケット本体の残りの部分から離間させることができる。これは、少なくとも１つの阻止要素が挿入方向においてソケット本体の残りの部分の下流にあり得ることを意味する。したがって、阻止要素は、ソケット本体に取り付けられるか、またはカンチレバーによってソケット本体に接続されることが好ましい。
【０００８】
有利な構成によれば、少なくとも１つの阻止要素は、フラットコンタクトソケットの残りの部分と一体に形成することができる。特に、阻止要素、カンチレバー、ソケット本体、および接続部は、互いに一体に形成することができる。その結果として、一方では、特に簡単に設計されたフラットコンタクトソケットを得ることができる。他方では、生産中に、阻止要素にカンチレバーを後で取り付けること、またはフラットコンタクトソケットの残りの部分に阻止要素を後で取り付けることを省くことができる。
【０００９】
阻止要素は少なくとも１つのブレースを有することができ、少なくとも１つのブレースを介して前記阻止要素はカンチレバーに接続される。特に、阻止要素は、互いに離間した２つのブレースを有することができる。ブレースを介して、阻止要素の高さを、またはカンチレバーからの阻止要素の間隔を適合させることができる。さらに、このようにして、中実の設計と比較して材料を節約することができる。最終的に、阻止要素がカンチレバーの材料を曲げることによって作り出される場合、必要な曲げ力を、中実の設計と比較して削減することができる。
【００１０】
挿入方向においてフラットコンタクトレセプタクルの境界を効果的に定めるために、すなわち、フラットコンタクトがフラットコンタクトレセプタクル内に深く差し込まれ過ぎないようにするために、少なくとも１つの阻止要素は、フラットコンタクト面を横断して測定されたフラットコンタクトレセプタクルの高さの半分まで延びることができる。
【００１１】
特に簡単に設計されたソケット本体を得るために、ソケット本体は、フラットコンタクト面を横断して互いに反対側にある少なくとも２つの脚部を有することができる。それらの脚部によって、フラットコンタクトレセプタクルは、フラットコンタクト面を横断して境界が定められる。２つの脚部は、特に、実質的に平坦に、フラットコンタクト面と平行に向きを合わすことができる。
【００１２】
安定したフラットコンタクトソケットを得るために、少なくとも２つの脚部は、挿入方向において挿入開口の反対側にある少なくとも１つのウエブを介して接続することができる。その結果として、特に、互いに対する少なくとも２つの脚部間の間隔を規定することができる。特に１８０°接続のためのフラットコンタクトソケットの場合には、少なくとも１つのウエブを、挿入方向に見たときに、フラットコンタクトレセプタクルから側方に配置されるように構成することはやはり有用であり得る。
【００１３】
脚部の少なくとも一方は、フラットコンタクトと電気的に接触するために脚部の内面に少なくとも１つのコンタクト部を有することができる。したがって、内面は、フラットコンタクトレセプタクルの方に向けられた面、またはフラットコンタクトレセプタクルの境界を定める面である。２つの脚部は、各々、フラットコンタクト面を横断して互いに反対側にあるコンタクト部を有することが好ましい。
【００１４】
少なくとも１つのコンタクト部と、フラットコンタクトレセプタクルに受容されたフラットコンタクトとの間の電気接触を改善するために、少なくとも１つのコンタクト部は、少なくとも１つのコンタクトばねを備えることができる。少なくとも１つのコンタクトばねは、フラットコンタクトレセプタクル内に突出し、脚部の方に弾性的に撓み可能である。少なくとも１つのコンタクト部が複数のそのようなコンタクトばねを有することが好ましい。
【００１５】
少なくとも１つのコンタクトばねは、脚部と一体に形成される必要がない。特に、少なくとも１つのコンタクト部は、複数のコンタクトばねを有するコンタクトプレートを備えることができる。コンタクトプレートは、良好な導電性を念頭において選ばれた材料から形成することができる。少なくとも１つのコンタクトプレートは、材料係合によって、特に溶接によって少なくとも１つの脚部の内面に接続されることが好ましい。フラットコンタクトレセプタクルを横断して互いに反対側にある少なくとも２つの脚部の各々は、少なくとも１つのコンタクトプレートを備えることが好ましい。
【００１６】
フラットコンタクトソケットは、基部を有することができる。基部は挿入方向を横断して延び、基部は挿入方向において挿入開口の反対側にあり、基部によってソケット本体は接続部に接続される。このようにして、安定したフラットコンタクトソケットと、さらに接続部とソケット本体との間の良好な電気接続との両方を得ることができる。
【００１７】
挿入方向を横断して延びる基部は、特に、９０°接続のためのフラットコンタクトソケットでは有用となり得る。特に、１８０°接続で使用されるように意図された本発明によるフラットコンタクトソケットの一実施形態では、基部は、さらに、挿入方向と平行に延びることができる。
【００１８】
接続部を導電体、特にケーブルに容易に接続するために、接続部は、圧着（crimping）によって少なくとも１つの導電体に接続するための少なくとも２つの圧着ウィングを有することができる。
【００１９】
ハウジングとのポジティブ係合を作り出すために、フラットコンタクトソケットは、挿入方向と実質的に平行にまたは挿入方向を実質的に横断してフラットコンタクトソケット内に延びる少なくとも１つのポジティブ係合凹部を有することができる。少なくとも１つのポジティブ係合凹部は、特に、接続部とソケット本体との間に配置することができる。フラットコンタクトソケットの良好な導電性を得るために、基部は、ポジティブ係合凹部の反対側に連続的に形成されることが好ましい。
【００２０】
９０°接続の場合には、少なくとも１つのポジティブ係合凹部は、挿入方向と平行にフラットコンタクトソケット内に延びることができることが好ましい。１８０°接続では、少なくとも１つのポジティブ係合凹部は、挿入方向を横断してフラットコンタクトソケット内に延びることが好ましい。
【００２１】
フラットコンタクトソケットをハウジングに固定するために、挿入方向と平行にまたは挿入方向を横断して延びる少なくとも１つの停止面を、少なくとも１つのポジティブ係合凹部によってソケット本体に形成することができる。
【００２２】
ハウジング、例えばフラットコンタクトソケットを受容するための絶縁ハウジングは、フラットコンタクトソケットがハウジングに受容された組立て状態では、ポジティブ係合凹部に受け取られるポジティブ係合要素を有することができる。特に、ハウジングは、ポジティブ係合要素がポジティブ係合凹部に受け取られる向き以外の異なる向きでフラットコンタクトソケットをハウジングに挿入しようとすると、ポジティブ係合要素がフラットコンタクトソケットの別の部分、特に基部に当接するように形成することができる。したがって、ポジティブ係合要素のポジティブ係合凹部との相互作用は、組立て中の不具合回避のための要素を表す。組立て状態では、ポジティブ係合要素は停止面に当接することができる。その結果、特に接続部の方向へのフラットコンタクトソケットのハウジングからの離脱が効果的に防止される。これは、接続部に接続された導電体に引張り力が加えられる場合に当てはまる。
【００２３】
迅速に低コストで生産されたフラットコンタクトソケットを得るために、フラットコンタクトソケットは、特に、打抜き曲げ部品として製造することができる。
【００２４】
この場合、基部は、挿入方向を横断して延びる主曲げ縁によって形成することができる。フラットコンタクトソケットが２つの脚部を有する場合、前記脚部は、挿入方向と反対方向に主曲げ縁またはその仮想伸張部から離れるように延びることができる。
【００２５】
特に、９０°接続のためのフラットコンタクトソケットの場合には、少なくとも１つの阻止要素は、主曲げ縁の材料から少なくとも部分的に打ち抜くことができ、挿入方向において主曲げ縁の下流にあり得る。その結果、特に簡単に設計された阻止要素または簡単に形成されたカンチレバーを得ることができる。言い換えれば、フラットコンタクトソケットは、主曲げ縁の領域では阻止要素およびカンチレバーなしに閉じられることになる。阻止要素と、好ましくはさらにカンチレバーとは、フラットコンタクトソケットが打抜き曲部品として製造される材料から打ち抜かれ、フラットコンタクトソケットの基部は、主曲げ縁に沿って連続的に延びていない。
【００２６】
１８０°接続の一実施形態では、少なくとも１つのカンチレバーが、接続部の方向に、少なくとも断片的に脚部から延びることができる。少なくとも１つの阻止要素は、対向する脚部の方向にこのカンチレバーから突出することができる。
【００２７】
本発明によるフラットコンタクトソケットの安定性をさらに改善するために、特に、２つの脚部が曲がって離れるのを防止するために、フラットコンタクトソケットは、挿入方向と反対方向に向いている脚部端部を互いに接続するかまたはラッチする少なくとも１つのラッチ要素を有することができる。
【００２８】
本発明によるフラットコンタクトソケットは、横方向ガイド要素（lateral guide elements）を有することができる。横方向ガイド要素は特に打抜きおよび曲げによって形作られ、横方向ガイド要素はソケット本体と一体構造で形成される。横方向ガイド要素は、フラットコンタクトを、挿入方向を横断して案内することができる。ガイド要素は、特に、挿入方向を横断して配置される側で２つの脚部を少なくとも部分的に閉じることができるように構成される。
【００２９】
本発明によるフラットコンタクトソケットがハウジングに受容されることになる場合、フラットコンタクトソケットは、阻止要素の外面に少なくとも１つの溝を備えることができる。この溝は、ハウジングの少なくとも１つの相補的に形成される位置固定要素を、確実に受け取るために形成される。
【００３０】
以下、例として、図面を参照しながら有利な実施形態を使用して、本発明をより詳細に説明する。例として実施形態に示す特徴の組合せは、上述のコメントに従って特定の用途のための追加の特徴によって適宜に補足することができる。この特徴の効果が特定の用途において重要でない場合、さらに、上述のコメントに従って、個々の特徴を、記載される実施形態において省略することも可能である。
【００３１】
図面において、同じ参照番号は、常に、同じ機能および／または同じ構造をもつ要素に使用される。
【図面の簡単な説明】
【００３２】
【図１】本発明によるフラットコンタクトソケットの第１の実施形態の斜視図であり、９０°接続のためのフラットコンタクトソケットを示す。
【図２】図１に示したフラットコンタクトソケットのソケット本体の断面図である。
【図３】コンタクト部のコンタクトプレートが見える状態の、図１のフラットコンタクトソケットの縦断面図である。
【図４】フラットコンタクトがフラットコンタクトレセプタクルに受容された状態の、図１のフラットコンタクトソケットを示す図である。
【図５】図１によるフラットコンタクトソケットの切取図であり、ハウジング内にフラットコンタクトが受容されている状態を示している。
【図６】本発明によるフラットコンタクトソケットの第２の実施形態の斜視図であり、１８０°接続のためのフラットコンタクトソケットを示す。
【図７】図６に示したフラットコンタクトソケットの縦断面図である。
【発明を実施するための形態】
【００３３】
以下、９０°接続のための本発明によるフラットコンタクトソケット１の基本構造を、図１を使用して説明する。フラットコンタクトソケット１は、導電体に電気的に接続するための接続部３を有する。接続部３は、特に、圧着部であり、少なくとも２つの圧着ウィング５を特徴として備えることができる。代替として、接続部３は、他の場合には、導電体に、特にケーブルに接続するように形成することもできる。
【００３４】
ソケット本体７は接続部３に接続される。ソケット本体７は、フラットコンタクト（ここではまだ示されていない）に接続するために実質的に役立つ。この目的のために、ソケット本体７はフラットコンタクトレセプタクル９を有する。フラットコンタクトレセプタクル９は、図１に点線で示したフラットコンタクト面１１に沿って延びる。
【００３５】
フラットコンタクトレセプタクル９は、挿入開口１３を通してフラットコンタクトを差し込むために開口されている。阻止要素１５は、挿入開口１３の反対側にあるソケット本体７の端部に配置される。阻止要素１５は、フラットコンタクトレセプタクル９内のフラットコンタクトの侵入深さの境界を定める。挿入方向１７は、阻止要素１５の方向に挿入開口１３から延びる。挿入方向１７は、フラットコンタクト面１１と平行に延びる。したがって、挿入開口１３と阻止要素１５とは、挿入方向１７において互いに反対側にある。
【００３６】
一般に、フラットコンタクトソケット１は、挿入方向１７を横断して延びる長手方向１９に沿って延びる。接続部３とソケット本体７とは、長手方向１９において隣接している。図示の例示的な実施形態では、接続部３は、導電体、特にケーブルが、接続部３に接続した後、圧着によって、さらに、最初は、フラットコンタクトソケット１に直接隣接する領域では長手方向１９と実質的に平行に延びるように構成される。しかしながら、本発明によるフラットコンタクトソケット１は、異なる形状を有することもできる。例えば、接続部３は、接続部３がソケット本体７から離れて挿入方向１７と平行に延びるようにソケット本体７に接続することができる。さらに、代替として、接続部３は、挿入方向１７を横断し、かつ長手方向１９を横断して延びることができ、したがって、図１において、これは上向きまたは下向きとなる。
【００３７】
ソケット本体７は、フラットコンタクト面１１を横断して互いに反対側にある２つのフラット脚部２１を有する。脚部２１は、フラットコンタクト面１１を横断してフラットコンタクトレセプタクル９の境界を定める。脚部２１は実質的に連続的に形成されることが好ましい。代替として、脚部２１は、例えば、材料を節約するために開口を有することもできる。接続部３の反対側のフラットコンタクトソケット１の端部２３のうちの１つで、２つの脚部２１は、ウエブ２５によって互いに接続される。長手方向１９においてウエブ２５と反対側のソケット本体７の端部のうちの１つで、２つの脚部２１は、基部２７によって接続される。
【００３８】
基部２７は、挿入方向１７を横断して延び、または長手方向１９と平行に延び、フラットコンタクトソケット１のための一種のバックボーンを形成する。基部２７は、挿入方向１７において挿入開口１３の反対側にあり、ソケット本体７を接続部３に接続する。基部２７は、良好な導電性を有するように、少なくともソケット本体７と接続部３との間に連続的に形成されることが好ましい。
【００３９】
フラットコンタクトソケット１は、導電性材料２８からの打抜き曲げ部品として製造されることが好ましい。この場合、基部２７の領域は、特に、挿入方向１７を横断して延びる主曲げ縁２９によって形成される。２つの脚部２１は、対応して、２つのフラット領域が主曲げ縁２９のまわりに互いの方に曲がることによって形成される。打抜きおよび曲げによって製造することにより、フラットコンタクトソケット１を迅速にコスト効果的に製造することができる。さらに、打抜きおよび曲げにより、さらに、阻止要素１５の特に簡単な生産が可能になり、それは以下で考察する。
【００４０】
阻止要素１５は、挿入方向１７においてソケット本体７の残りの部分から離れるように延びるカンチレバー３１に接続される。阻止要素１５は、挿入方向１７を横断し、かつ長手方向１９を横断して、すなわち、フラットコンタクト面１１を横断してカンチレバー３１から突出する。
【００４１】
挿入方向１７に延びるカンチレバー３１に、阻止要素１５を配置する。これによって、挿入方向１７において、少なくとも部分的に基部２７を越えてまたはソケット本体７の残りの部分を越えて突出するフラットコンタクトを、フラットコンタクトレセプタクル９内に受け取ることが可能である。このようにして、追加の要素、例えばタッチプロテクタを備えたフラットコンタクトを受け取ることができる。
【００４２】
阻止要素１５は、前述した配置によってフラットコンタクトレセプタクル９の残りの部分から離間している。阻止要素１５は、ソケット本体７と一体に製造されることが好ましく、フラットコンタクトソケット１の残りの部分と一体に製造されることが特に好ましい。これは、特に、フラットコンタクトソケット１が打抜き曲げ部品として形成される場合に達成することができる。阻止要素１５およびカンチレバー３１は、この場合、フラットコンタクトソケット１の材料２８から打ち抜くことができ、それにより、本発明による阻止要素１５なしでソケット本体７の領域に連続的な基部２７が形成されることになる。基部２７は、２つの脚部２１の一方に連続的に移行することができ、阻止要素１５を形成する自由端は、挿入方向を横断し、かつ長手方向１９を横断して上に曲げることができる。
【００４３】
阻止要素１５は、２つのブレース３３を有し、２つのブレース３３を介してカンチレバー３１に接続される。それゆえに、阻止要素１５は梁のように形成され、離間した２つのブレース３３を介してカンチレバー３１に接続される。代替として、ブレース３３間の領域は閉じることもできる。しかしながら、阻止要素１５の形状を生産するのにまたは材料２８を上に曲げるのに必要な屈曲力を低減するために、材料２８はそこを打ち抜かれるかまたは取り除かれることが好ましい。
【００４４】
阻止要素１５によって挿入方向１７におけるフラットコンタクトレセプタクル９の境界を効果的に定めるために、阻止要素１５は、フラットコンタクトレセプタクル９の高さ３５の半分を超えて延びる。フラットコンタクトレセプタクル９の高さ３５は、フラットコンタクト面１１を横断して２つの脚部２１の内面３７間の間隔として測定される。
【００４５】
フラットコンタクトが、特に差し込まれるときにフラットコンタクトレセプタクル９から抜け出さないようにするために、フラットコンタクトソケット１は、さらに、さらなる阻止要素またはガイド要素を特徴として備えることができる。好ましい実施形態では、フラットコンタクトソケット１の端部２３は２つの横方向阻止要素３９を備えている。横方向阻止要素３９は、端部２３の方向においてフラットコンタクトレセプタクル９を閉じる。横方向阻止要素３９は、脚部２１の材料２８から打ち抜きおよび曲げによって形成されることが好ましく、ほぼ四分円の横方向阻止要素３９が反対側の脚部２１の方向に各脚部２１から延びる。したがって、２つの横方向阻止要素３９の向きは反対である。
【００４６】
フラットコンタクトソケット１は、フラットコンタクトレセプタクル９への挿入の際にフラットコンタクトを横方向に案内するために、および脚部２１の位置を互いに固定するために、２つのラッチ要素４１を有する。これらのラッチ要素４１がフラットコンタクトレセプタクル９から横方向に配置される。これは、それらのラッチ要素４１が長手方向１９において反対の位置に配置され、長手方向１９に見たときのフラットコンタクトレセプタクル９は、ラッチ要素４１間に配置されることを意味する。ラッチ要素４１は、横方向にまたは長手方向１９に挿入開口１３の境界を定める。
【００４７】
ラッチ要素４１の各々は、脚部２１の一方から反対側の脚部２１まで延びる。ラッチ要素４１の各々はポジティブ係合開口４３を有する。ポジティブ係合開口４３は、ラッチ要素４１の自由端４５に配置されることが好ましい。ラッチ要素４１は、実質的に帯状に形成され、２つの脚部２１の一方の材料２８から打ち抜くことができる。
【００４８】
ラッチングのために、ラッチ要素４１は、ポジティブ係合開口４３が脚部２１と同じ高さに配置されるように反対側の脚部２１の方向に曲げられる。この脚部２１はポジティブ係合突起４７を有し、ポジティブ係合突起４７は接続状態でポジティブ係合開口４３に配置される。このようにして、ポジティブ係合が、挿入方向１７を横断して形成される。これにより、互いからのまたは互いの方への２つの脚部２１の意図的でない開放または圧縮と長手方向１９への２つの脚部２１の変位の両方が防止される。
【００４９】
フラットコンタクトソケット１はポジティブ係合凹部４９を有し、ポジティブ係合凹部４９は、挿入方向１７と実質的に平行にフラットコンタクトソケット１内に延びる。ポジティブ係合凹部４９は、基部２７の反対側にあるフラットコンタクトソケット１のその側から基部２７の方向に、挿入方向１７と反対方向に延びる。
【００５０】
ポジティブ係合凹部は、実質的にソケット本体７と接続部３との間に延びる。ポジティブ係合凹部４９は、ハウジングの実質的に相補的に形成されたポジティブ係合要素（図示せず）を受け取るのに役立つことができる。基部２７がポジティブ係合凹部の反対側に連続的に形成されるという事実によって、フラットコンタクトソケット１は、ハウジングのポジティブ係合要素がポジティブ係合凹部４９に配置される場合にしかハウジングに挿入できないことが好ましい。フラットコンタクトソケット１を別の向きでハウジングに挿入しようとすると、例えば、ハウジングへの挿入またはハウジングの閉鎖が防止されるように、基部２７がポジティブ係合要素に当接することが可能である。次に図５を参照してこの機能を考察する。
【００５１】
ポジティブ係合凹部４９は、ここまで、基部２７の方向にフラットコンタクトソケット１の材料内に延び、接続部３の圧着ウィング５は、ポジティブ係合凹部４９によって、またはポジティブ係合凹部４９の伸張部５１によって形作られる。
【００５２】
好ましくは、停止面５３がポジティブ係合凹部４９によってソケット本体７に形成され、停止面５３は挿入方向１７と平行に延びる。フラットコンタクトソケット１がハウジングに配置される場合、およびハウジングのポジティブ係合要素が停止面５３に対置される場合、フラットコンタクトソケット１を接続部３の方向に作用する引張り力の下でハウジングから引き出すことは、停止面５３のポジティブ係合要素とのポジティブ係合によって効果的に防止され得る。
【００５３】
図２は、拡大表示で、および長手方向１９を横断してソケット本体７を通る断面で、フラットコンタクトソケット１のいくつかの要素を示す。
【００５４】
図２は、阻止要素１５が、対置する脚部２１の方向に高さ３５の半分を超えて延びることを示している。したがって、阻止要素１５は、フラットコンタクトが阻止要素１５を越えてフラットコンタクトレセプタクル９内に差し込まれるのを効果的に防止する。阻止要素１５は、挿入方向１７においてソケット本体７の残りの部分の下流にある。横方向阻止要素３９は、挿入方向１７を横断して効果的にフラットコンタクトレセプタクル９を閉じる。
【００５５】
図１を参照して説明していないか、または図１に示していないかもしくは見ることができないフラットコンタクトソケット１のさらなる詳細を、以下で図２および図３を参照して説明する。
【００５６】
脚部２１はコンタクト部５５を有する。コンタクト部５５は、フラットコンタクトレセプタクル９に配置されたフラットコンタクトに電気的に接触するのに役立つ。コンタクト部５５は脚部２１の内面３７に配置される。さらに、２つの脚部２１の一方のみが電気接触のためのコンタクト部５５を有することが可能である。代替として、脚部２１の一方は、さらに、プレスオン器を備えることができ、例えば、プレスオン器は、フラットコンタクトレセプタクル９にフラットコンタクトを機械的に固定するように形成される。
【００５７】
フラットコンタクトソケット１とフラットコンタクトとの間の電気接続を改善するために、各コンタクト部５５はいくつかのコンタクトばね５７を有する。コンタクトばね５７は、フラットコンタクトレセプタクル９内に突き出し、それぞれの脚部２１の方に弾性的に撓み可能である。コンタクト部５５の内面３７の各々は、複数のコンタクトばね５７を備えたコンタクトプレート５９を有することが好ましい。コンタクトプレート５９は、それぞれの脚部２１に導電的に接続される。コンタクトプレート５９は脚部２１の内面３７に溶接されることが好ましい。
【００５８】
２つのコンタクトプレート５９は、フラットコンタクトレセプタクル９を挟んで互いに反対側にある。コンタクトプレート５９またはコンタクト部５５は、挿入方向１７と反対方向に阻止要素１５から離間することが好ましい。コンタクト部５５と阻止要素１５との間に延びる自由空間６１は、例えば、タッチプロテクタを受け入れるのに役立つことができ、タッチプロテクタは、フラットコンタクトの導電性部分のまわりに配置することができる。図４を参照してこれを以下で説明する。
【００５９】
図４は、フラットコンタクト６３の一部がフラットコンタクトレセプタクル９に配置された状態の前述した種類のフラットコンタクトソケット１を示す。フラットコンタクト６３は導電性部分６５を有することができる。導電性部分６５は、タッチプロテクタ６７によって囲まれることが好ましい。フラットコンタクト６３の導電性部分のコンタクト面６９は露出している。
【００６０】
挿入状態では、フラットコンタクト６３は、タッチプロテクタ６７の前端部７１により阻止要素１５に当接する。タッチプロテクタ６７の前端部７１は自由空間６１に配置される。同時に、コンタクト面６９は、電気接続が確立されるようにフラットコンタクトソケット１の２つのコンタクト部５５に対置され得る。
【００６１】
以下、図５を参照すると、前述した種類の本発明によるフラットコンタクトソケット１がハウジング内に描かれている。図５は、フラットコンタクト６３がフラットコンタクトレセプタクル９に配置されているフラットコンタクトソケット１を示している。
【００６２】
フラットコンタクトソケット１は、２つの部分からなるハウジング７３に配置される。ハウジング７３は、上部部分７５と下部部分７７とを含む。２つの部分７５および７７は、例えば、図５に示すように、組立て状態で好適な留め要素（図示せず）または他の接続手段によって接続することができる。
【００６３】
ハウジング７３は開口７９を含む。この開口７９を通って、フラットコンタクト６３はハウジング７３の内部に、したがってフラットコンタクトソケット１のフラットコンタクトレセプタクル９内に入ることができる。ハウジング７３は少なくとも１つのさらなる開口（図示せず）を有することが好ましく、その開口を通して、導電体をフラットコンタクトソケット１の接続部３に接続することができる。
【００６４】
ハウジング７３は、下部部分７７に、ハウジング７３の内部に突出するポジティブ係合要素８１を有する。図５に示した組立て状態では、ポジティブ係合要素８１は、フラットコンタクトソケット１のポジティブ係合凹部４９に配置され、停止面５３に対置される。それによって、フラットコンタクトソケット１は、確かに、接続部３の方向にハウジング７３から引き出されないようにされる。ポジティブ係合要素８１とポジティブ係合凹部４９との間の相互作用は、さらに、ハウジング部分７５および７７を組み立てるときの不具合、またはフラットコンタクトソケット１をハウジング７３に挿入するときの不具合を回避するのに役立つ。例えば、基部２７がポジティブ係合要素８１に対置されるようにフラットコンタクトソケット１が下部部分７７に挿入された場合、上部部分７５は、もはや、２つの部分を接続できるように下部部分７７の方に移動することができない。
【００６５】
上部部分７５は、挿入方向１７と反対方向にポジティブ係合要素８１と対向して配置された押圧要素８３を有する。組立て状態において、押圧要素８３は、フラットコンタクトソケット１の基部２７を押しつけ、その結果、フラットコンタクトソケット１の基部２７は、挿入方向１７にしっかりと保持される。さらに、ハウジングの上部部分７５は１つまたは複数の突起８５を有することができる。突起８５は、組立て状態では、フラットコンタクトソケット１の阻止要素１５を圧迫して、フラットコンタクトソケット１をハウジング７３に阻止要素１５の領域においてさらに確実に嵌合させるのを保証する。さらに、それにより、阻止要素１５の振動または揺れを低減させることができる。代替の構成では、突起８５の各々に対して、阻止要素１５はくぼみまたは溝を有することができる。このくぼみまたは溝に突起８５は入ることができ、その結果、追加のポジティブ係合をさらにそこにおいて挿入方向１７を横断して得ることができる。
【００６６】
本発明によるフラットコンタクトソケット１の第２の有利な実施形態の構造を、図６および図７を参照して以下で説明する。簡潔にするために、図１から図５を参照して説明した実施形態との相違点のみを考察する。
【００６７】
第２の実施形態は１８０°接続に使用することができる。これは、導電体が少なくとも接続部３において挿入方向１７と実質的に平行に延びるようにソケット本体７および接続部３が互いに対して配置されることを意味する。
【００６８】
その結果、挿入方向１７は、長手方向１９と平行に延びる。それゆえに、挿入開口１３は、ソケット本体７の側面ではなく、長手方向１９に配置されたソケット本体７の端部に配置される。
【００６９】
阻止要素１５は、脚部２１の一方から、挿入方向１７に、それゆえに、実質的に接続部３の方向に延びる。したがって、挿入方向１７に延びるカンチレバー３１と、挿入方向１７を横断して突出する阻止要素１５とは、互いに合体する。阻止要素１５およびカンチレバー３１は、曲がった舌部８７として形成することができる、曲がった舌部８７の端部部分８９は阻止要素１５によって形成される。前述した実施形態と同様に、阻止要素１５は、フラットコンタクト面１１を横断して、フラットコンタクトレセプタクル９の高さ３５の半分を超えて延びる。
【００７０】
本発明によるフラットコンタクトソケット１の第１の実施形態と同様に、ここでも、２つの脚部２１は、ラッチ要素４１によって互いに接続される。しかしながら、第２の実施形態では、２つのラッチ要素４１間の領域において、挿入方向１７を横断する方向でフラットコンタクトの意図的でない挿入を、すなわち、２つのラッチ要素４１間のフラットコンタクトの意図的でない挿入を防止する阻止ウエブ９１が延びる。
【００７１】
カンチレバー３１は、接続部３の近くに配置されたラッチ要素４１から延びる。これは、カンチレバー３１が、このラッチ要素４１のポジティブ係合突起４７を備えた脚部２１の部分から延びることを意味する。その結果、この配置から分かることは、カンチレバー３１とポジティブ係合突起４７とが互いに実質的に垂直に延びるということである。
【００７２】
第２の実施形態の阻止要素１５の配置は、長手方向１９を横断して延びる停止面５３をもつポジティブ係合凹部４９の存在を排除しない。第２の実施形態では、ポジティブ係合凹部４９は、フラットコンタクトレセプタクル１１を連続的に横断する方向でフラットコンタクトソケット１を通って延びない。代わりに、停止面５３が、阻止要素１５に対向する脚部２１に配置される。ポジティブ係合凹部４９は、この停止面５３と、接続部３の２つの圧着ウィング５との間に延びる。
【符号の説明】
【００７３】
１  フラットコンタクトソケット
３  接続部
５  圧着ウィング
７  ソケット本体
９  フラットコンタクトレセプタクル
１１  フラットコンタクト面
１３  挿入開口
１５  阻止要素
１７  挿入方向
１９  長手方向
２１  脚部
２３  フラットコンタクトソケットの端部
２５  ウエブ
２７  基部
２８  導電性材料
２９  主曲げ縁
３１  カンチレバー
３３  ブレース
３５  フラットコンタクトレセプタクルの高さ
３７  脚部の内面
３９  横方向阻止要素
４１  ラッチ要素
４３  ポジティブ係合開口
４５  ラッチ要素の自由端
４７  ポジティブ係合突起
４９  ポジティブ係合凹部
５１  ポジティブ係合凹部の伸張部
５３  停止面
５５  コンタクト部
５７  コンタクトばね
５９  コンタクトプレート
６１  自由空間
６３  フラットコンタクト
６５  フラットコンタクトの導電性部分
６７  タッチプロテクタ
６９  コンタクト面
７１  フラットコンタクトの前端部
７３  ハウジング
７５  ハウジングの上部部分
７７  ハウジングの下部部分
７９  フラットコンタクトのための開口
８１  ポジティブ係合要素
８３  押圧要素
８５  突起
８７  舌部
８９  舌部の端部部分
９１  阻止ウエブ
【図１】
2018073826.tif 000003
【図２】
2018073826.tif 000004
【図３】
2018073826.tif 000005
【図４】
2018073826.tif 000006
【図５】
2018073826.tif 000007
【図６】
2018073826.tif 000008
【図７】
2018073826.tif 000009
【外国語明細書】
2018073826000001.pdf